Podtech/llm-jp-corpus-v4-ja_patent huggingface dataset:
(57)【要約】【課題】  銀行をはじめとする金融機関の防犯装置を目的とするもので一瞬のうちに犯人との間を遮断する。【解決手段】  天井のハリの中に遮断板を仕掛け、接客の際に犯人だと知ったときに操作ボタンを操作すると一瞬のうちに遮断板が下して犯人との間を遮断して時間的な間をつくることができる。【選択図】  図１
2005274112.tif 000002
【特許請求の範囲】
【請求項１】
金銭出納窓口の天井梁に溝穴を設け、該溝穴内に強度を有する防護板を落下可能に収納し、万一の際に防護板を落下させて遮断板とすることを特徴とした金融機関出納窓口の防犯装置。
【請求項２】
防護板は開閉する挟持具で支持され、鎖で吊下げられている請求項１に記載の金融機関出納窓口の防犯装置。
【請求項３】
防護板は、厚さ１０ｍｍ程度のアクリル樹脂板であることを特徴とした金融機関出納窓口の防犯装置。
【発明の詳細な説明】
【技術分野】
【０００１】  本発明は、銀行等の金融機関の窓口での防犯装置に関するもので、行員が操作ボタンを押すことによって遮蔽枚である防護板が上方から落下して遮断するものである。
【背景技術】
【０００２】  近来、銀行や郵便局などの強盗が多くなり、それも白昼窓口に来て、ピストルや刃物で威し、金を要求するケースが多い。このため、ブザーやカラーボール等で防護する手段がとられている。
【特許文献】    特開２０００−１１３３４０号公報
【発明の開示】
【発明が解決しようとする課題】
【０００３】  しかし、このようにブザーやカラーボールの場合は強盗犯人と終始対面しているため恐怖感があって動きが止るおそれがある。また前記公知例は、カウンターの下に足払い棒を設けて、行員が操作ボタンを押すことによって、足払い棒が回転して賊を倒す方式であるが、空振りなどの心配がある。
【課題を解決するための手段】
【０００４】  発明者はこのような金融機関の窓口での防犯について種々検討の結果本発明に到達したものであって、本発明は、行員と犯人との間に防護板を上方から落下させることによって、一瞬のうちに行員と犯人との間に遮蔽空間ができて、心の余裕が生じ、次の動作に移ることができる。この防護板は、強度や重量の点からみて合成樹脂板が適している。
【発明の効果】
【０００５】  上述のように本発明によるときは、一瞬のうちに防護板が上方から落下するため、犯人との間に遮断壁が出来て、安全が図れること、及び咄嗟の動きによって犯人がたじろく僅かの間に次の動作がとれることによって、防犯効果が十分に期待できる。
【発明を実施するための最良の形態】
【０００６】  添付図面により本発明の実施の形態を説明すると、図１は出納窓口の正面図を示し、図２は防護板の収納装置の詳細図である。
【実施例】
【０００７】  図面に基いて本発明の実施例を説明すると、図１は金融機関窓口の正面図であって、下側にカウンターＫがあり、その奥に行員が座っていて来客の受付をしている。上方の１，２の札は窓口番号Ｓを示しているものであって大きな銀行であれば、この窓口の数もいくつかある。【０００８】  （１）は本発明の防護板であって、Ｔは窓口上の天井の梁を示していて、防護板（１）は、この天井の梁に溝穴（２）を設けて、この溝穴（２）の中に挟持具（３）によって支持されている。（図２参照）また、この防護板（１）の挟持具（３）は図の矢印の如くに、左右に開き、これによって防護板（１）は落下する。【０００９】  挟持具の開閉操作は、行員の前のカウンターＫの下裏に操作ボタンＢを設けるか、或は床下に設けるか、いずれでもよいが、行員のすぐに手の届く所に配置する。（図にあってはカウンターの下裏に設けてある。）【００１０】  行員は強盗犯人が来て、「金を出せ」とピストルや刃物で威した時、行員が、この操作ボタンＢを押すと、天井梁Ｔに隠されている防護板（１）が一気に落下して行員と強盗犯人との間に遮断壁ができて行員の安全が守られる。【００１１】  そして、この防護板（１）の落下は一気の落下であるため犯人は一瞬ひるみ、この一瞬のひるみの時間と行員の身の安全が図れるため、次のブザーを鳴すこと、カラーボールを投げること等、計画通りの防犯手段が確実に落着いてでき、犯人を撃退させることができる。【００１２】  また防護板（１）は強度や重量のことを考えて、厚さ１０ｍｍ程度のアクリル樹脂板が適当であって、天井からは鎖で吊下げるとよい。
【産業上の利用可能性】
【００１３】  本発明の防犯装置は最近多発している銀行や郵便局などの金融機関の白昼の強盗事件に対して、安全と一瞬の間が出来るため、次の防犯手段がとりやすい。このため各金融機関において利用できる。
【図面の簡単な説明】
【００１４】
【図１】  出納窓口の正面図
【図２】  防護板の支持詳細図
【図３】  実施例図
【符号の説明】
【００１５】（１）…防護板
（２）…溝穴
（３）…挟持装置
Ｔ…天井梁
Ｋ…窓口カウンター
Ｓ…案内板
Ｂ…操作ボタン
【図１】
2005274112.tif 000003
【図２】
2005274112.tif 000004
【手続補正書】
【提出日】平成16年6月17日(2004.6.17)
【手続補正１】
【補正対象書類名】明細書
【補正対象項目名】００１４
【補正方法】変更
【補正の内容】
【００１４】
【図１】出納窓口の正面図
【図２】防護板の支持詳細図
(57)【要約】【課題】  太陽光を利用した温水用ソーラーシステムは屋根又は屋上にタンク、集熱器を設置して直接又はガス等で間接的に水を暖め、効率の面からは優れているが高価で、取付けも工事業者が設置するため費用も掛かり、購入する負担が増えてしまう。また集合住宅等では大形システムになり設置費用が高額のため、設置数も少ないという問題点があった。【解決の手段】  空気を利用したシステムで、軽量な空気用集熱器は簡単に取付けでき、日当たりの良い場所であれば、窓の内側またはベランダ等場所を選ばず取付けできるので、集合住宅等でも使用が可能になる。また空気用集熱器、水用熱交換器、エアーポンプをチューブ等で接続し内部空気を循環させる、太陽光で空気用集熱器の内部空気が暖められ、その空気を水用熱交換器に送り水を温める事ができる。夏季には水用熱交換器から出た冷やされた空気を利用して、室内の空気用熱交換器で室内空気を冷やし冷房の補助をさせる事ができる。【選択図】図２
2005274111.tif 000002
【特許請求の範囲】
【請求項１】
屋内外に設置出来るビニール等軽量素材で作る空気用集熱器。
【請求項２】
空気用集熱器と水を暖める水用熱交換器、空気を冷やす空気用熱交換器を組み合わせたシステム。
【発明の詳細な説明】
【技術分野】
【０００１】  本発明は、太陽光を利用した温水発生補助及び冷房補助システムである。
【背景の技術】
【０００２】  太陽光を利用した温水用ソーラーシステムは屋根又は屋上にタンク、集熱器を設置して直接又はガス等で間接的に水を暖めていた。（例えば、特許文献１参照）
【特許文献１】    特開平０７−０９８１５７号  公報
【発明の開示】
【発明が解決しようとする課題】
【０００３】  上記ソーラーシステムは効率の面からは優れているが高価で、取り付けも工事業者が設置するため費用も掛かり、購入する負担が増えてしまう。【０００４】  また集合住宅等では大形システムになり設置費用が高額のため、設置数も少ないという問題点があった。【０００５】  本発明は、上記課題を解決する物で、空気を熱運搬に利用する事で効率の面では劣る物の価格面、設置面にすぐれた空気用集熱器を日当たりの良い場所であればどこでも設置できる事で、集合住宅等についても温水発生補助及び冷房補助システムを提供する事を目的とする。
【課題を解決するための手段】
【０００６】  これらの課題を解決するために、屋内外に設置出来る安価なビニール等で作った空気用集熱器を、日当たりのよい窓の内側またはベランダ等に設置し、チューブ等で水用熱交換器と接続し浴槽または水槽に入れる、空気用集熱器入り口側にエアーポンプ等取付ける。【０００７】  夏季には浴槽または水槽に入れた水用熱交換器にチューブ等で室内に設置した熱交換器と接続させるか、室内に直接チューブ等を引き込む。
【発明の効果】
【０００８】  本発明は、以下に記載されるような効果がある。【０００９】  太陽光を空気用集熱器で受け内部空気を暖め、その空気をエアーポンプで浴槽または水槽に入れた水用熱交換器に送り熱交換させ水を暖める事により、浴槽での消費する燃料の削減効果を提供する。【００１０】  夏季は水用熱交換器から出た冷やされた空気を利用して、室内に取付けた空気用熱交換器にチューブ等で接続するかチューブ室内に引き込み空気を送ることで冷房の補助を行わせ省エネルギーの効果を提供する。【００１１】  空気用集熱器は日当たりの良い場所であれば窓の内側及びベランダ等に設置できるので、集合住宅等でも個別に取付可能になる物を提供する。【００１２】  ビニール等で作った空気用集熱器、小形の熱交換器、エアーポンプ、チューブと部品自体を安価で提供することができる。【００１３】  空気用集熱器を安価で提供できる事により、空気用集熱器を増やせば、より多くの集熱効果が生まれる。【００１４】  空気用集熱器、熱交換器、エアーポンプと設備自体が軽量で、ほとんどの人が取付可能になり、取付工事費用を削減する効果がある。【００１５】  空気用集熱器をベランダ等に取付た場合、強風等で落下してもビニール等の軽量素材のため、安全を確保できる。
【発明を実施するための最良の形態】
【００１６】  日当たりのよい場所に設置された空気用集熱器内の空気は太陽光により暖めされ、その空気を水用熱交換器に送り込むことにより浴槽または水槽に入れた水を暖められる。【００１７】  夏季には浴槽または水槽に入れた水用熱交換器で冷却された空気を利用して、室内に設置した空気用熱交換器もしくは直接空気を送り込むことにより、冷房の補助をさせる。
【実施例】
【００１８】  以下本発明の実施例について図面を参照しながら説明する。【００１９】  図１において、空気用集熱器は集熱用内側層３は黒色のビニール等で袋状ものを作り、給排気用パイプ４を取付内部空気の出入り口を作る、その集熱用内側層３の周囲を包み込むように透明のビニール等で保温用外側層２を作る、保温用外側層２と集熱用内側層３の間に空間を持たせることにより直接、外部温度が集熱用内側層の内部に伝わることが無くなることで内部空気が効率良く暖められる。【００２０】  図２において、空気用集熱器１の保温用外側層２を通過した太陽光により集熱用内側層３あたり加熱され、内部空気もそれにより暖められる、その空気を利用できるよう図２のようにチューブ７で浴槽及び水槽に入れた水用熱交換器５とエアーポンプ６と室内用熱交換器８を接続させ、エアーポンプ６で内部空気を循環させる事により、おのおのの熱交換器で熱の移動をさせる。
【図面の簡単な説明】
【００２１】
【図１】本発明の実施例における空気用集熱器の縦断面図
【図２】本発明の実施例における空気を利用した温水発生助補及び冷房補助システムの縦断面図
【符号の説明】
【００２２】      １空気用集熱器本体
２保温用外側層
３集熱用内側層
４給排気空気用パイプ
５水用熱交換器
６エアーポンプ
７チューブ
８空気用熱交換器
【図１】
2005274111.tif 000003
【図２】
2005274111.tif 000004
(57)【要約】【課題】押しピンと磁石のどちらも使える掲示板を提供すること。【解決手段】掲示板の掲示面（最前面）にはピン類の使用に適した素材を用い、厚みは市販の掲示板用磁石が２層目の磁性材に十分に引き寄せられる程度の厚さとし、その下の層に指の力でピン類が通せる程度に薄く加工したシート状の磁性素材の層を設け、さらにその下の層として、ピン類が十分に刺さるだけの厚みと特性を備えた素材でできた基材を設けることで、ピン類と磁石の両方を混在して使える掲示板とする。【選択図】  図１
2005274660.tif 000002
【特許請求の範囲】
【請求項１】
一般に掲示板に掲示物を留め付ける場合、コルクボードなどの軟質素材に押しピンなどの針状のピン類で突き刺して固定する方法があり、また別に鉄、ステンレスなどの磁力に引き寄せられる磁性素材を構成材に用いたいわゆるホワイトボードなどの掲示板に磁石を用いて固定する方法があるが、ピン類と磁石の両方を使えるように掲示板を多層構造とし、掲示板の掲示表面（最前面）にはピン類の使用に適した素材を用い、その下の層には指の力でピン類が通せる程度に薄く加工したシート状の磁性素材の層を設けることで、ひとつの掲示板でピン類と磁石の両方を混在して使うことを可能とする。
【発明の詳細な説明】
【技術分野】
【０００１】
押しピンや磁石で掲示物を留めて掲示する掲示板に関することである。
【背景技術】
【０００２】
掲示板に掲示物を留め付ける場合、コルクボードなどの軟質素材でできた掲示板に押しピンなどの針状のピン類で突き刺して固定する方法があり、また別に鉄、ステンレスなどの磁力に引き寄せられる磁性素材を構成材に用いたいわゆるホワイトボードなどの掲示板に磁石を用いて固定する方法がある。
【発明の開示】
【発明が解決しようとする課題】
【０００３】
掲示板に掲示物を留め付ける場合、コルクボード製掲示板などでは押しピンなどのピン類で突き刺して固定するが、また別に鉄、ステンレスなどの磁力に引き寄せられる磁性素材を構成材に用いたいわゆるホワイトボードなどの掲示板では磁石を用いて固定する。
【０００４】
押しピンなどのピン類を利用する掲示板と磁石を使う掲示板はそれぞれ別のものであり、ひとつの掲示板でピン類と磁石のどちらも使えるものは開発されていない。よって、ピン類を使う掲示板には押しピンを用意し、磁石で留める掲示板では磁石を用意する必要があった。
【課題を解決するための手段】
【０００５】
掲示板に押しピンと磁石の両方を使えるようにするため、まずコルク材などのピン痕が目立ちにくい材料と磁石が使える磁性素材を張り合わせ、掲示表面（最前面）側はピン痕の目立ちにくい素材とする。
【０００６】
この場合、押しピンが十分に刺さるだけの厚みを掲示表面の素材にもたせると、一般に普及している掲示板用磁石が有している磁力の程度では十分な保持力が得られなくなる恐れがあるので、掲示表面の素材の厚みは市販の掲示板用磁石が下層の磁性材に十分に引き寄せられる程度の厚さに抑えることで掲示板用磁石の使用を可能とし、一方押しピンが掲示物を確実に固定できるように、２層目以降の磁性材にはピン先を傷めない程度で、必要以上の抵抗感なく指の力で突き刺せる程度の薄さに形成したフィルム状のものを用いる。
【０００７】
さらにその下の層として、押しピンが十分に刺さるだけの厚みとそれを保持できる適度な軟性を備えたコルクボードやウレタン又はゴムなどの素材でできた基材を設けることで、磁性材を突き抜けた押しピンの保持力を補強し、掲示物を確実に固定することができる。
【発明の効果】
【０００８】
従来は押しピンを使う掲示板には押しピンを用意し、マグネットで留める掲示板ではマグネットを用意する必要があったが、ひとつの掲示板で押しピンとマグネットのどちらも使えるようになる。
【発明を実施するための最良の形態】
【０００９】
掲示表面には押しピンなどの反復使用によるピン痕が目立たないようなコルクボードやウレタン又はゴムなどの素材を用い、その下層にはクロムステンレス系のフィルム材などの磁性素材を用いる。さらにその下層には掲示表面と同様の押しピンが刺さる素材でできた基材がある。
【００１０】
この場合の各層の厚みについて、まず掲示面の素材は磁石の吸着力をできるだけ損なわないように数ミリ程度の最適な厚さとし、磁性材は押しピンが抵抗なく貫通するように１００分の５ミリ前後の最適な厚さとする。さらにその下の基材においては磁性材層を突き抜けた押しピンが十分に刺さるだけの最低限の厚みを有すればよい。
【図面の簡単な説明】
【００１１】
【図１】本思想による掲示板の層構造を示した構造図である。
【符号の説明】
【００１２】
１  掲示板の掲示面（最前面）に用いる素材
２  フィルム状の磁性素材
３  ピン類を確実に保持するための基材
４  掲示板の形態を維持するための構造材
【図１】
2005274660.tif 000003
(57)【要約】【課題】人間工学上および応用技術上の理由から顕微鏡またはそのすぐ近くの様々な場所に設置または配置でき、人間工学上最適な視線方向に合わせることが可能な顕微鏡および／または画像データ用の表示装置【解決手段】顕微鏡データおよび／または画像データ用の自由設置可能な表示装置は、ディスプレイ２付きケーシング１および顕微鏡３へのデータ接続手段から成っているデータの接続は接続線を通じて、または無線で行われる。ディスプレイは少なくとも１つの方向に旋回でき、表示装置のケーシングは顕微鏡への固定および／または安定設置のための補助具を有している。【選択図】図１
2005107525.tif 000002
【特許請求の範囲】
【請求項１】
ディスプレイ（２）付きケーシング（１）および顕微鏡（３）へのデータ接続手段から成る顕微鏡データおよび／または画像データ用の自由設置可能な表示装置であって、
データの接続が接続線を通じて、または無線で行われ、ディスプレイ（２）が少なくとも１つの方向に旋回でき、表示装置のケーシング（１）が顕微鏡（３）への固定および／または安定設置のための補助具を有している表示装置。
【請求項２】
顕微鏡（３）への固定および／または安定設置のための補助具として、磁石、吸盤、留金などが備えられている請求項１に記載の表示装置。
【発明の詳細な説明】
【技術分野】
【０００１】
本発明は、人間工学上および応用技術上の理由から顕微鏡またはそのすぐ近くの様々な場所に設置または配置可能な、顕微鏡データおよび／または画像データ用の表示装置に関する。
【背景技術】
【０００２】
現状技術レベルの公知の顕微鏡には、調整可能な多数の機能および検査方式が備わっている。自動化の進展により、例えば対物レンズリボルバまたは反射器リボルバなどの顕微鏡機能装置はほとんどが電動調整方式によって動かされる。各コンポーネントのポジションをこの方式で顕微鏡電子機器へフィードバックすることにより、リアルタイムな顕微鏡データを一覧としてＬＣＤディスプレイ上に、またはソフトウェアによりコンピュータ上に表示することもでき、それによって瞬時の調整値を常時掌握することが可能になる。通例、そのような表示装置は顕微鏡本体に組み込まれている。
【０００３】
例えば公開公報ＤＥ  １０１  ０６  ２７５には、ディスプレイ装置がオペレータの眼の高さ、またはその近辺に設置された顕微鏡について、機能の制御および／または表示のための装置および方法が記載されている。この場合ではオペレータは楽な姿勢で両眼観察ができ、ランプの明るさ、対物レンズのタイプ、照明方式など瞬時調整事項について即座に情報が得られるので、顕微鏡に備えられた操作キーを通じて容易に変更または修正が可能である。当ディスプレイは両眼観察時の幻惑作用を避けるため、有利なことに、スイッチの切換が可能である。
【０００４】
顕微鏡のディスプレイ装置が固定していれば、様々な適用において、例えばマニピュレータなどにより、ディスプレイが少なくとも部分的に遮られるということが起こり得る。したがって、オペレータは表示された顕微鏡データを正確に読み取るのに苦労することになる。誤った、または不完全な読み取りが、顕微鏡の調整においてオペレータを間違った方向に導きかねない。そこで、ディスプレイを取り外し可能にした別な型式のものが想定されている。これは、オペレータが例えば瞬時の撮影条件を記録するために、ディスプレイを自分の近くに置くことができるという点では有利である。
【特許文献１】ＤＥ  １０１  ０６  ２７５
【発明の開示】
【発明が解決しようとする課題】
【０００５】
本発明の解決法では、設置場所が顕微鏡自体であっても、そのすぐ近くであっても自由に設置できて、そこに表示されたデータおよび／または画像を、オペレータが何時でも見ることのできる顕微鏡用表示装置を開発することが基本課題である。
【課題を解決するための手段】
【０００６】
この課題は独立クレームの特徴によって解決される。その他の好ましい改良形態および実施態様は従属クレームの対象である。
提案の解決法によると、顕微鏡データおよび／または画像データ用の表示装置を顕微鏡の任意の場所に設置すること、またはその近くに配置すること、および人間工学上最適な視線方向に合わせることが可能である。この方法は、顕微鏡データおよび／または画像データが表示ユニットを通じて観察者に伝えられるという種々様々な顕微鏡検査領域で適用することができる。
【発明を実施するための最良の形態】
【０００７】
以下に解決法を実施例に基づき説明する。図はそれぞれ次のものを表わしている：
顕微鏡データおよび／または画像データ用の自由設置可能な当表示装置は、ディスプレイ２付きケーシング１および顕微鏡３へのデータ接続手段から成っている。この場合、データの接続は接続線を通じて行うことができる。しかし、例えば電波やＩＲ波などの無線結合の方が好ましい。
【０００８】
ディスプレイ２は少なくとも１つの方向に旋回できるので、オペレータの視線の方向に合わせることができる。表示装置のケーシング１には、顕微鏡３への固定および／または安定設置のため、例えば磁石、吸盤、留金などの補助具が備えられている。当装置については、図１に、顕微鏡３に固定設置された、直立配置ディスプレイ２付き表示ユニットが、図２に、顕微鏡３付近に配置された傾斜ディスプレイ２付き表示ユニットが描かれている。
【産業上の利用可能性】
【０００９】
提案の解決法によると、顕微鏡データおよび／または画像データ用の表示装置を顕微鏡の任意の場所に設置すること、またはその近くに配置すること、および人間工学上最適な視線方向に合わせることが可能である。特殊な適用例で、表示装置がそのままの位置ではオペレータの視線が、例えば試料、テーブル、マニピュレータなどにより遮られてしまう場合にはこのことが有利に働いてくる。この場合では、表示装置をオペレータにとってより見やすい位置に設置、配置または方向付けすることができる。
【図面の簡単な説明】
【００１０】
【図１】顕微鏡に固定設置された、直立配置ディスプレイ付き表示ユニット。
【図２】顕微鏡付近に配置された傾斜ディスプレイ付き表示ユニット。
【符号の説明】
【００１１】
１    ケーシング
２    ディスプレイ
３    顕微鏡
【図１】
2005107525.tif 000003
【図２】
2005107525.tif 000004
(57)【要約】【課題】土木工事，建築工事等の工事現場に工事名等を表示するために掲げられる表示板であって、作業開始前に作業責任者名、作業資格者名、危険要因、安全対策、作業者名等が記入され、確認されることにより、万一事故が起きた場合の責任の所在が明らかになり、工事現場の事故防止に対する重要性の認識を徹底させ事故発生を減少させる。【解決手段】黒板，白板等の書き換え自由な画板からなり、日付表示欄２と、作業内容表示欄３と、作業責任者名表示欄４と、作業資格者名表示欄５と、危険要因表示欄６と、安全対策表示欄７と、作業者名確認表示欄８とを夫々罫線により区画して設けるとともに、作業手順，安全対策等の詳細が示された印刷書類１４を複数枚収容できる透明な書類ポケット１２をその開口１３を横向きとして表面に貼着固定してなる。【選択図】図１
2005107272.tif 000002
【特許請求の範囲】
【請求項１】
黒板，白板等の書き換え自由な画板からなり、日付表示欄と、作業内容表示欄と、作業責任者名表示欄と、作業資格者名表示欄と、危険要因表示欄と、安全対策表示欄と、作業者名確認表示欄とを夫々罫線により区画して設けるとともに、作業手順，安全対策等の詳細が示された印刷書類を複数枚収容できる透明な書類ポケットをその開口を横向きとして表面に貼着固定してなることを特徴とした工事現場用表示板。
【発明の詳細な説明】
【技術分野】
【０００１】
本発明は土木工事，建築工事等の工事現場に工事名等を表示するために掲げられる表示板に関するものである。
【背景技術】
【０００２】
一般に多数の作業者が働く工事現場では、事故を防止し、工事の安全を図るために、作業前に工事責任者から一日の作業の概要、作業手順、危険要因、注意事項、安全対策等が全作業者に伝達され安全が徹底されるようにしている。
しかし、特に所属の違う多数の作業者が働いているような場合に事故が起きた場合の責任の所在が明確でないことも多く、そのために安全性が疎かにされるおそれがあった。
【０００３】
また従来から特許文献１，２に示されたように、工事名，施工業者等を表示する表示板が工事現場に掲げられている。
【特許文献１】実開平６−３７８７８号公報
【特許文献２】実用新案登録第３００８７０６号公報
【発明の開示】
【発明が解決しようとする課題】
【０００４】
ところで、工事現場の安全対策に関し、上記従来の表示板は多分に名目化している場合が多く、責任が曖昧であることから、安全が徹底されず事故に繋がるおそれがあった。
【０００５】
そこで本発明は、工事現場に掲げられる表示板を利用して、より一層安全が徹底されるように、表示板の表示項目を改善するものである。
【０００６】
また本発明の工事現場用表示板は、表示板には書ききれない詳細な情報が印刷された書面を作業者が必要に応じ適時見られるようにするものである。
【課題を解決するための手段】
【０００７】
そのために本発明の工事現場用表示板は、黒板，白板等の書き換え自由な画板からなり、日付表示欄と、作業内容表示欄と、作業責任者名表示欄と、作業資格者名表示欄と、危険要因表示欄と、安全対策表示欄と、作業者名確認表示欄とを夫々罫線により区画して設けるとともに、作業手順，安全対策等の詳細が示された印刷書類を複数枚収容できる透明な書類ポケットをその開口を横向きとして表面に貼着固定してなることを特徴とする。
【発明の効果】
【０００８】
作業責任者名、作業資格者名、危険要因、安全対策、作業者名等が記入され、作業開始前にその確認がなされることにより、万一事故が起きた場合の責任の所在も明らかになることから、工事現場の事故防止に対する重要性の認識が徹底され、事故発生率を減少させる。
【実施例１】
【０００９】
図１は本発明の一実施例である工事現場用表示板１の正面を少し斜めから視て示すもので、該表示板１はチョーク，マーカー等の筆記具によって書き換え自由なる黒板，白板等の画板からなり、日付表示欄２と、作業内容表示欄３と、作業責任者名表示欄４と、作業資格者名表示欄５と、危険要因表示欄６と、安全対策表示欄７と、作業者名確認表示欄８が夫々罫線により区画されて設けられ、該各欄にその題目がペイントによって書き換え不能に表記されている。なお、９は安全上特に重点的に注意すべき点を記載する欄、１０は施工業者名表示欄、１１は伝言欄である。
【００１０】
また、１２は図２の断面図にも示したように該表示板１の表面にその開口１３を横向きとしてビス１５により貼着固定した透明なプラスチック製の書類ポケットで、該書類ポケットは複数枚の印刷書類１４が収容できる容量を有している。
【００１１】
図３はこの工事現場用表示板１の使用状況を示すもので、上記日付表示欄２と、作業内容表示欄３と、作業責任者名表示欄４と、作業資格者名表示欄５と、危険要因表示欄６と、安全対策表示欄７と、作業者名確認表示欄８に夫々該当項目がチョーク，マーカー等の筆記具により夫々書き換え可能に記入され、一日の作業を開始するにあたり、その作業の責任者、有資格者等から全作業者に作業の概要，作業手順とともにその作業に伴う危険要因、注意事項、安全対策等がこの表示板１の表記に従って口頭で伝達され、各作業者がその確認を受ける。
【００１２】
また、書類ポケット１２には、図４に例示したように、作業毎に手順，安全対策等を詳細に図示および説明した印刷書類１４が予め収容され、該各印刷書類を該当する作業者に必要に応じ配布する。
【００１３】
なお、書類ポケット１２は開口１３を横向きに設けたために屋外に設けられていても雨水が浸入するおそれがないとともに、印刷書類１４の出し入れが自由となるので、紐で束ねて吊しておくよりも利便性が高い。
【００１４】
また、このように、日付、作業内容、責任者名、危険要因、安全対策、作業者名等が記入された表示板１を作業開始前にデジタルカメラ等で撮って画像を保存しておけば、表示板１の記入内容が改変されるおそれもなく、万一事故が発生した場合の責任の所在等が明白になる。従って、一日毎に工事現場の事故防止に対する重要性の認識が徹底され、事故防止に寄与できるところが大きい。
【図面の簡単な説明】
【００１５】
【図１】本発明の実施例を示す工事現場用表示板の正面図。
【図２】図１のＡ−Ａ線断面図。
【図３】本発明の工事現場用表示板の使用例を示した正面図。
【図４】本発明に係る印刷書類の例示図。
【符号の説明】
【００１６】
１      工事現場用表示板
２      日付表示欄
３      作業内容表示欄
４      作業責任者名表示欄
５      作業資格者名表示欄
６      危険要因表示欄
７      安全対策表示欄
８      作業者名確認表示欄
１２    書類ポケット
１３    開口
１４    印刷書類
【図１】
2005107272.tif 000003
【図２】
2005107272.tif 000004
【図３】
2005107272.tif 000005
【図４】
2005107272.tif 000006
(57)【要約】  【課題】  設置時間が短く、正確に位置あわせが可能な浄化槽を提供すると共に、この浄化槽を用いて容易に載置可能な、浄化槽の設置方法を提供することを目的としている。  【解決手段】  設置時間が短く、正確な位置合わせを行うために、本発明の浄化槽においては、汚水の流入口を設けた側面、及び、処理水の放流口を設けた側面の各々に、この側面の水平方向幅の中心を示す目印を付加するようにしており、この目印を用いて浄化槽を設置することにより、施工業者の負担がすくなく、短時間で正確に据え付けが行えるようになる。  【選択図】  図２
2005185934.tif 000002
【特許請求の範囲】
【請求項１】
汚水の流入口を設けた側面、及び、処理水の放流口を設けた側面の各々が、その下部に側面の幅長の中心を示す目印を備えた浄化槽。
【請求項２】
請求項１記載の浄化槽の設置方法において、浄化槽を載置する基礎底盤に墨出しを行い、その後、前記墨出しと浄化槽の幅長の中心を示す目印とを合わせて浄化槽を基礎底盤に載置する浄化槽の設置方法。
【発明の詳細な説明】
【技術分野】
【０００１】
本発明は、生活排水を処理する浄化槽、及び、その浄化槽の設置方法に関する。
【背景技術】
【０００２】
従来、浄化槽を設置する場合には、基礎底盤での位置決めをする必要があり、その位置決めをする際の方法としては種々のものが知られている。代表的な位置決めの一つには、基礎底盤に墨出しされた通り芯に、浄化槽の幅の中心の目安として、流入口、放流口を合わせ、設置位置を決定する方法が挙げられる。
尚、墨出しとは、基礎底盤に設置位置を決めるための線を書くことであり、通り芯とは、墨出しにより書かれた線を指している。
【特許文献１】特開平９−２２１８２２号
【発明の開示】
【発明が解決しようとする課題】
【０００３】
しかしながら、従来の設置方法は、浄化槽に設けられた流入口及び放流口が、浄化槽側面の幅方向中心にあることを利用しているものであり、浄化槽を設置する基礎底盤と、流入口・放流口との高低差があることから、正確な設置をするのに多くの時間を要していた。
【０００４】
即ち、多くの浄化槽は、流入口・放流口が、浄化槽の底面から１ｍ以上高い位置にあり、基礎底盤に書かれた通り芯と、基礎底盤から１ｍ以上高い位置にある流入口・放流口とを見比べながら設置され、直接流入口・放流口と通り芯とを位置あわせできず、間接的に位置あわせを行うために、設置時間が長くなり、正確な位置あわせも困難であった。
【０００５】
本発明は、設置時間が短く、正確に位置あわせが可能な浄化槽を提供すると共に、この浄化槽を用いて容易に載置可能な、浄化槽の設置方法を提供することを目的としている。
【課題を解決するための手段】
【０００６】
（１）本発明は、汚水の流入口を設けた側面、及び、処理水の放流口を設けた側面の各々が、その下部に側面の幅長の中心を示す目印を備えた浄化槽である。
（２）また、項（１）に記載の浄化槽の設置方法において、浄化槽を載置する基礎底盤に墨出しを行い、その後、前記墨出しと浄化槽の幅長の中心を示す目印とを合わせて浄化槽を基礎底盤に載置する浄化槽の設置方法である。
【発明の効果】
【０００７】
本発明によれば、浄化槽に幅の中心を表す目印を設けることにより、浄化槽を適正な位置に容易に設置することができ、従来の施工方法よりも施工時間を短縮できる。
【発明を実施するための最良の形態】
【０００８】
本発明にて述べる目印は、目印のある箇所が浄化槽側面の幅方向中心であることが、施工者に理解できるものであれば良く、特に限定されるものではない。具体的には、幅方向中心に、線、波線、点、円印、ばつ印、四角印等の側面とは異なった色での着色、溝又は突起等の外形変化を用いることができる。外形変化をさせる場合は、浄化槽の外装成形時に設けても良く、外装成形後に溝掘り、部材接着等により設けても良い。
【０００９】
目印の横幅は、特に限定されるものではないが、基礎底盤に書いた通り芯と同等の幅とすることが好ましく、同じ幅にすることで更に容易に位置あわせができるようになる。
【００１０】
本発明にて述べる目印の位置は、側面下部に設けられるものであり、浄化槽の底面から５０ｃｍ以下の高さであることが好ましい。更に、目印の下端は、浄化槽の底面から３０ｃｍ以内の高さであることが好ましく、底面に接するようにすることがより好ましい。これは、５０ｃｍ以内であれば浄化槽の位置合わせをする際に、施工者が首を上下して見比べる必要がなく、３０ｃｍ以内であればより正確な位置合わせが行え、底面に接するのであれば、直接目印と基礎底盤の通り芯とを合致させることができるからである。
【実施例１】
【００１１】
以下、図面を参照しながら本発明の実施例について説明する。図１は、本発明の浄化槽の一例を示す平面図であり、図２は図１の両側面を示し、（ａ）は流入口側の側面図、（ｂ）は放流口側の側面図である。また、図３は図１のＡ−Ａ’面の断面図である。
浄化槽１の流入口５側および放流口６側の外壁面の下部には、浄化槽の幅の中心を表す目印２を設けている。
【００１２】
浄化槽１の設置を行うには、先ず所定深さ、所定広さを有した穴を掘り、その穴の底部に基礎底盤４を設ける。基礎底盤４は、汚水が入った際の浄化槽の重量及び土圧に耐えるものであれば良く、具体的には、コンクリート（鉄筋コンクリート）、合成樹脂成形品、金属加工品、金属・合成樹脂・木材等の混合材等を用いることができ、中でもコンクリート製のものが、耐食性、剛性、コスト等の観点から好ましい。
【００１３】
基礎底盤４の施工終了後は、墨出しを行う。墨出しは、基礎底盤４に、浄化槽１を設置するための通り芯３を書くものであり、墨壺等を用いて書き出すことができる。
【００１４】
施工業者は、墨出しが終了すると、浄化槽１の設置を行う。浄化槽１は、図１に示すように、短辺の一方に流入口５、他方に放流口６が設けられており、この流入口５及び放流口６を設けてある側面の底部に、各々目印２を着色している。
【００１５】
目印２は、浄化槽壁面の色とは異なる白色着色剤にて直線を書いており、直線の下端が浄化槽１の底面に接するようにしている。また、目印２は、耐水性を有しているものを用いており、これは、浄化槽を製造する過程において、上槽と下槽とを別々に屋外保管し、後に上槽と下槽とを組み上げることをするが、この屋外保存中に目印２が消えることを阻止している。
【００１６】
浄化槽２の設置は、一旦浄化槽２を基礎底盤４の上に仮置きし、その後目印２が通り芯３と重なるように浄化槽２をずらし、流入口５を設けた側面の目印２と、放流口６を設けた側面の目印２との両方が、通り芯３上に重なることで位置合わせが完了する。
【００１７】
位置合わせが終了した後は、浄化槽設置の際の通常行われる施工が施され、配管接続、土かけ等を行い、施工が完了する。
【図面の簡単な説明】
【００１８】
【図１】本発明の実施例である浄化槽の平面図を示す。
【図２】図１の浄化槽の両側面を示し、（ａ）は流入口側の側面図、（ｂ）は放流口側の側面図を示す。
【図３】図１に示すＡ−Ａ’断面図を示す。
【符号の説明】
【００１９】
１…浄化槽、２…目印、３…通り芯、４…基礎底盤、５…流入口、６…放流口
【図１】
2005185934.tif 000003
【図２】
2005185934.tif 000004
【図３】
2005185934.tif 000005
(57)【要約】      （修正有）【課題】水平埋設支線台に加わる支線張力のバランスが取れ水平維持が図られると共に水平埋設支線台の簡素化、低コスト化が図られ、所定の土壌抵抗力を確保できる水平埋設支線台を提供する。【解決手段】支線方向に合致するように成形したＶ金具を水平埋設支線台補強構成部材の不等辺山形金物断面の縦・横を適度な長さにすることにより、このＶ金具を支線張力方向にバランス良く引き留めることが可能となる。【選択図】図３
2005185074.tif 000002
【特許請求の範囲】
【請求項１】
支線方向に合致するように成形したV金具を支線台補強不等辺山形部材金物の縦・横辺の長さを適度にして、この取付け角度を調整できる水平埋設支線台。
【発明の詳細な説明】
【技術分野】
【０００１】
本発明は送・配電線の支線台に係わるもので、水平埋設支線台のＶ金具を支線台へ直接取付けをして、その取付け角度を支線張力方向に合わせる金物を有し支線台に加わる張力を一定にし、水平保持と支線全体のコスト低減に利用するものである。
【背景技術】
【０００２】
従来、支線台を水平に埋設して、この支線台のV金具を介して支線棒を連結している。現行の水平支線台のＶ金具は支線張力方向に合致していないために偏荷重が加わり、支線台の片端が浮き揚がり一方には沈下が生じて、支線台の水平が維持できず土壌抵抗力が減少して、所定の土壌抵抗力を確保できない課題がある。
【発明の開示】
【発明が解決しようとする課題】
【０００３】
従来の水平埋設支線台のV金具は、支線張力方向と無関係な形状のものを取付けており、支線の取付け角度の変化に対応できず、支線台を水平に維持できない課題がある。
【課題を解決するための手段】
【０００４】
支線方向に合致するように成形したV金具を支線台補強構成部材と兼用する不等辺山形金物断面の縦・横辺の長さを調整することにより、このV金具を支線張力方向に引き留めることが可能となり支線台の水平保持を図るものである。この方式により支線台の水平保持と支線全体のコスト低減ができる水平埋設支線台を提供するものである
【発明の効果】
【０００５】
V金具の取付けに、水平支線台に本金物を取付けることにより、支線張力がバランスして加わり水平保持が図られると共に構造の簡素化が可能となる。このことにより水平保持と所定の土壌抵抗力の確保が可能となり、かつ、低コストな支線の取付けをすることができる。
【発明を実施するための最良の形態】
【０００６】
本発明を実施するためには、支線台補強構成部材金物を利用し、その不等辺山形部材の断面の縦・横辺を適度な長さに調整した金物で、V金具を支線張力方向に合致するように引留めが可能となり、支線張力が支線台にバランスして加わり支線台の水平保持を図ることができ、支線台の所定土壌抵抗を確保することができる。
【実施例】
【０００７】
以下本発明の実施例を図面に基づいて説明すると、図1はV金具取付け角度調整水平埋設支線台で、Aは上面、Bは側面を表したもので、1および2はV金具取付け不等辺山形角度調整兼補強金物、3は水平埋設支線台の補強金物である。図2はV金具Cおよび支線棒Dの装着を表す。4はV金具引留め用座金である。図3は本発明のV型金具取付け角度調整型水平埋設支線台の施設全体を表す。図4は従来の水平埋設支線台の施設を表す。V金具を支線の取付け角度と整合性を持たせた形状とするため、1および2の不等辺山形角度調整兼補強金物で断面の縦・横辺を適度な長さにして、V金具をこの金物に、それぞれ支線方向へ取付けを可能にしている。これらから支線張力が支線台にバランスして加わり支線台の水平保持を図ることができ、支線台の所定の土壌抵抗が確保される。
【産業上の利用可能性】
【０００８】
従来の水平埋設支線台では市街地の地下埋設物などから、支線角度の多様性から支線台の水平保持が図られず、所定の支線台の土壌抵抗力を得るには大型化が必要になる。本発明は、支線張力が水平埋設支線台に支線張力がバランスして加わるようにV金具の引き留めに不等辺山形角度調整と補強を兼用する金具を設け水平保持を図ると共に、小型化ができ所定の土壌抵抗力を確保するものである。さらに、水平埋設支線台の簡素化でコストダウンを図ったことから、産業上の利用拡大が可能である。
【図面の簡単な説明】
【０００９】
【図１】V型金具取付け角度調整型水平埋設支線台を表す図。
【図２】V型金具および支線棒の装着を表す図
【図３】本発明のV型金具取付け角度調整型水平埋設支線台の施設全体を表す図
【図４】従来の水平支線台の施設全体を表す図
【符号の説明】
【００１０】
A      水平埋設Ｖ金具取付け角度調整型支線台の上面図
B      水平埋設Ｖ金具取付け角度調整型支線台の側面図
C      V金具の形状
D      支線棒
1      V金具取付け角度調整兼補強の不等辺山形金物
2      V金具取付け角度調整兼補強の不等辺山形金物
3      水平埋設Ｖ金具取付け角度調整型支線台の補強金物
4      Ｖ金具引留め用座金
α      水平埋設支線台とＶ金具のなす角度
β      水辺埋設支線台とＶ金具のなす角度
【図１】
2005185074.tif 000003
【図２】
2005185074.tif 000004
【図３】
2005185074.tif 000005
【図４】
2005185074.tif 000006
(57)【要約】      （修正有）【課題】座敷において主に客用として使用する食物容器を場所を取らずに客膳に配置することを可能とすると共に八寸、焼物、油物等をそれぞれに別に収めることを可能とし且つ料理を楽しみながら美味しく食するかとができるようなものとすること。【解決手段】木製の漆塗りの同形の角型の容器にそれぞれ底部に百人一首の対をなす札をプラスチックケースに入れ、その上に押さえの透明なガラス板をおき、その上に料理を適宜配列する。同形の容器の底部にはそれぞれに嵌合する突起を設けておき、１つだけでもまた二つ以上でも重ねて提供しうる構造とするが、ふつう三重として使用し、上から八寸、温物、油物の順に収納し、これに蓋をして布製袋に収めて客膳に提供する。【選択図】図７
2005185805.tif 000002
【特許請求の範囲】
【請求項１】
和風料理において使用する容器内部の底面に百人一首の対の札２枚を収めた透明ケースの上に透明なガラス板を重ねた底板を有することを特徴とする食物容器。
【発明の詳細な説明】
【発明の詳細な説明】
【技術分野】
【０００１】調理した和風料理を客膳に提供する食物容器の技術分野に属する。
【背景技術】
【０００２】特開平０５−３１７１１５号公報、特開平０６−１９３８８７号公報、特開平０７−２０６０３６号公報、特開平１０−２４５０５４号公報、特開平１０−３２８００５号公報、特開平１１−３５０４２号公報叉は特開２０００−１０９０７２号公報が公開されているが、特開平０５−３１７１１５号公報はＰＥ合成樹脂製の容器に吸湿紙を内蔵する多孔性蓋を嵌合してなり、長期間にわたる保存によってむれを防止するという特徴を有し、特開平０６−１９３８８７号公報は食品の内部の水分を除去することなく表面に焦げ目をつける食品調理法を提供する特徴を有し、特開平０７−２０６０３６号公報は調理した食品を収納する重箱を保管、移送するとき使用する箱状構造体で、合成樹脂叉は軽金属で製作することを特徴とし、特開平１０−２４５０５４号公報は食物を収納して箱に二層に重ねて、これに蓋をしてなり、蓋は上下をかえせば容器として使用しうる食品の包装用容器を目的とする気密性のよいことを特徴とするものであり、特開平１０−３２８００５号公報はふつう野外の会食の場合使用しうるように漆塗りに仕上げた三段重ねた容器の下に食事に使用するフォーク、箸箱を収納する構造を有することを特徴とし、特開平１１−３５０４２号公報は携行用の手提げを付して、多段の食器を密閉してなり、食事終了後、蓋を上下してその中に最初の順序と逆にしてコンパクトに収納することを特徴とし、特開２０００−１０９０７２号公報は合成樹脂製の簡単な箱の構造を有することを特徴としていが、しかし、いずれも座敷で提供する会席料理の容器として適当ではない。
【発明が解決しようとする課題】
【０００３】本発明は座敷等で提供する和風料理において多数の品の料理を冷めないうちに提供するために、一皿づつ提供しようとすれば多数の人手を要することになり、また料理全体を予め配列するとすれば、多数の皿類を客膳の周りに配置せねばならず、またこの場合でも熱いものは別に提供するのが望ましいが、提供する側の手間が多くかかるという欠点があった。
【０００４】  公開された情報は野外で会食する場合叉は弁当として携行する場合が主であって、座敷において提供する発明は見当たらない。
【課題を解決するための手段】
【０００５】客膳に提供するに相応しい外観、形状をなし、かつわが国古来のさびのある容器が望ましいが、これに適合するのは比較的小型で黒塗りで装飾が少なく、かつ運び易くするためには、料理のうち先附、焼物、止椀等を除いて主要部分である八寸、温物、油物をそれぞれ一つづつ容器に入れて、これを三段に積み重ねて蓋をし、さらに布製の袋に入れて客膳に提供することにより、客としてはいかなる料理が出てくるかの期待を多くし、食欲をそそられることになる。
【発明を実施するための最良の形態】
【０００６】木製の漆塗りの同形の角型の容器にそれぞれ底部に百人一首の対をなす札をプラスチックケースに入れ、その上に押さえの透明なガラス板をおき、その上に前述の料理を適宜配列する。同形の容器の底部にはそれぞれに嵌合する突起を設けておき、１つだけでもまた二つ以上でも重ねて提供しうる構造とするが、ふつう三重として使用し、上から八寸、温物、油物の順に収納し、これに蓋をして布製袋に収めて客膳に提供する。【０００７】  材質は木以外にプラスチック類を用いることができ、形状も角形の他亀甲型、円型、半月型等とすることもでき、黒塗りの他に朱塗り、叉は内側と外側と異なる色彩とし、外側には三段の容器に連続した模様を付することもできる。【０００８】  この場合、水分叉は油分の多い食物はカードを汚すおそれがあるときは、これを取り外すか叉は吸取紙を敷いて食物を並べることもできる。
【実施例】
【０００９】木製、黒塗りの縦横約１５０ｍｍ、高さ約５０ｍｍの同形の容器を三段重ねるが、この場合容器の外側は無模様とし、わびの世界を示し、内部も黒漆塗りに仕上げ、わが国固有の素朴な形状、色彩をなし、その底部には横５０ｍｍ、縦７０ｍｍの対をなす百人一首の一首を並べ、下の句は約２０ｍｍ下げて、１２．５ｍｍの透明角形のプラスチックケースに収め、その上に厚さ約５ｍｍ、縦横１２０ｍｍの透明なガラス板を重ねて底部を形成し、その上に料理を適宜配置して、これを二段に重ね蓋をし、さらに布製袋に入れて一人づつ客膳に提供する。【００１０】  客は膳の上で袋を開き、三個の容器に入っている八寸、温物、油物を各自膳の上に配置し、別に提供された先附等を並べて先ず眼で料理を鑑賞し、食欲を増進しうる。
【発明の効果】
【００１１】日本料理としてのわびを鑑賞でき、かつ提供者の労力を節減するとともに、客にできたての料理を提供しうるという特徴を有する。
【００１２】容器自体は内外とも無模様に仕上げられている底部に見え隠れする百人一首によって風情を満喫し、かつ料理をとるにつれて全景が表れ、とくに小倉百人一首の発祥の地とされている京都地区に相応しい優雅な模様が現出することによって料理としての価値を高め、客人には古都の感傷に浸ることができ、楽しさを増進させる特徴を有する。
【００１３】  座敷用料理の容器として、従来現出していなかった底板に百人一首の対の札を入れることで理論的には百種の変化が可能であり、日本料理の特徴であるわびさびの世界を現出し、平生殺風景の中で生活している人々に一抹の涼風を与え、料理に対し大きな満足感を与えうるという特徴をも有する。
【図面の簡単な説明】
【図１】容器の平面部を表す。
【図２】容器の正面図を表す。
【図３】底板を外したときの容器の平面図を表す。
【図４】平面図のＡ−Ａ断面図を表す。
【図５】容器の外観図を表す。
【図６】図４の一部の拡大図を表す。
【図７】三重とした場合の蓋を外した時の斜視図を表す。
【符号の説明】
１．．．．．底部を形成する模様
２．．．．．ガラス板
３．．．．．プラスチックケース
４．．．．．蓋
５．．．．．容器
【図１】
2005185805.tif 000003
【図２】
2005185805.tif 000004
【図３】
2005185805.tif 000005
【図４】
2005185805.tif 000006
【図５】
2005185805.tif 000007
【図６】
2005185805.tif 000008
【図７】
2005185805.tif 000009
(57)【要約】【課題】例えば、室内でキャッチボールに使用する遊具ボールを提供する。【解決手段】ボール本体を発泡スチロール球体として、中心部分に重りを入れて球体質量を増し、球体表面にボールの縫合せ目状に小さな凸線を設け変化球を投じることができるようにしたことを特徴とする発泡スチロール遊具ボール。【選択図】  図１
2005185804.tif 000002
【特許請求の範囲】
【請求項１】
発泡スチロール球体の中心部分に重りを装備して球体質量を増し、球体表面にボールの縫合わせ目状に小さな凸線を設けることを特徴とする遊具ボールである。
【発明の詳細な説明】
【技術分野】
【０００１】  本発明は、例えば室内でキャッチボール等に使用する遊具ボールに関するものである。
【背景技術】
【０００２】  従来より、野球愛好者等が例えばホールや室内でキャッチボールなど行う際、野球ボールやテニスボール、ゴムボール、スポンジボール等を使用したり、軽量で無反撥の工芸工作用の発泡スチロール球体を、野球ボールに見立てて使用していた。
【発明の開示】
【発明が解決しようとする課題】
【０００３】  そのために、次のような問題点があった。
（イ）野球ボール、テニスボール、スポンジボール等材質に硬度や反撥力があるボール        は、失投、後逸の際に壁や周辺の家具等で反撥して家財等に危害を及ぼしたり、        狭い処を転げ回るなど扱いにくかった。
（ロ）工芸工作用の発泡スチロール球体は、軽量であるため投球は球道が大きく変化し        、失速して距離も伸びず、キャッチボールの興趣は減殺された。
本発明は、これらの問題点を解決するために発明されたものである。
【課題を解決するための手段】
【０００４】  発泡スチロール球体の中心部分に重りを装備して球体質量を増す。球体表面にボールの縫合わせ目状に小さな凸線を設けることを特徴とする遊具ボールである。
【発明の効果】
【０００５】  遊具ボール本体の発泡スチロールは、重りを装備して質量を増す分、投球の球道の変化は減少し、到達距離が伸びて実際的なキャッチボールができ、表面の縫合わせ目状の凸線を利用して変化球を投ずることができて興趣は増す。
反撥力並びに衝撃荷重が僅少であるので、例え失投、後逸があってもホールや室内の周辺家財にとって安全度は高く、床を転げ回る度合いが小さく扱いやすい。
また、余儀なく室内生活を送る野球愛好者や療養中の野球愛好者の間から強く要望のでている、リハビリに用いることができて取り扱いやすいボールの提供にも応えることができる。
【発明を実施するための最良の形態】
【０００６】  以下、本発明の実施の形態について説明する。
（イ）発泡スチロール球体（１）の中心部分に球形の重り（２）を固着し、球体表面に        ボールの縫合せ目状に小さな凸線（３）を設ける。
（ロ）発泡スチロール球体の大きさは、直径６センチメートル乃至８センチメートル。        固着する重り（２）は５グラム乃至１５グラム程度までとし、材質は金属、鉱物        は危険であり除く。
本発明は以上のような構成で、これを使用するときは、
主にホールや室内において、キャッチボールを行う双方は投ずるボールの到達距離に従って適当な間隔をとって向かい合い、遊具ボールを使ってキャッチボールを行う。
誰でも素手で捕球できる。
投球ボールは内部に固着する重り（２）によって質量を増す分、空気の抵抗に打ち勝つことになり、球道の変化は減少し、ボールの到達距離が伸びて実際的なキャッチボールができる。表面に設けた縫い目状の凸線（３）に指をかけて握り、ボールに回転を与えながら投球すると変化球が生まれ、キャッチボールの興趣は増す。
遊具ボールは失投や後逸があっても、反撥力と衝撃荷重が僅少であるので、室内の周辺家財にとって安全度が高く、危害を与えることは少ない。
失投、後逸があっても室内を転げ回る度合いは少ないので、余儀なく室内生活を送る野球愛好者並びに療養中の野球愛好者にとって、手軽に扱いやすい遊具ボールとして身近にキャッチボールを楽しむことができる。
この遊具ボールは壁打ちや、野球バットを用いて打撃を行ってはならない。
【実施例１】
【０００７】  球体内部に固着する重り（２）が円盤形である。この場合、投球ボールの回転によっては重心に変位を生じるが、球道に微妙な変化を生じて興趣は増す。
【実施例２】
【０００８】  球体内部に固着する重り（２）が賽子形である。この場合、投球ボールの回転によっては重心に変位を生じるが、球道に微妙な変化を生じて興趣は増す。
【図面の簡単な説明】
【０００９】
【図１】  本発明の斜視図
【図２】  本発明のＡ−Ａ断面図
【図３】  本発明の実施例１を示す斜視図
【図４】  本発明の実施例１を示すＡ−Ａ断面図
【図５】  本発明の実施例２を示す斜視図
【図６】  本発明の実施例２を示すＡ−Ａ断面図
【符号の説明】
【００１０】１  発泡スチロール球体
２  重り
３  縫い目状凸線
【図１】
2005185804.tif 000003
【図２】
2005185804.tif 000004
【図３】
2005185804.tif 000005
【図４】
2005185804.tif 000006
【図５】
2005185804.tif 000007
【図６】
2005185804.tif 000008